【手続補正書】
【提出日】平成27年10月23日(2015.10.23)
【手続補正１】
【補正対象書類名】特許請求の範囲
【補正対象項目名】全文
【補正方法】変更
【補正の内容】
【特許請求の範囲】
【請求項１】
フロントフェースを備える前端部と、
トウ端部、および前記トウ端部の反対側のヒール端部と、
前記フロントフェースの反対側の後端部と、
前方クラウン端部および後方クラウン端部を備えるクラウン面と、
前記クラウン面における、前記前方クラウン端部と前記後方クラウン端部の間に延在する位置合わせ補助手段と
を備えるクラブヘッドであって、
前記クラブヘッドは、ウッドタイプクラブヘッドを含み、
前記前方クラウン端部は、前記後端部よりも前記前端部に近く、
前記後方クラウン端部は、前記前端部よりも前記後端部に近く、
前記位置合わせ補助手段は、位置合わせ補助幅を備え、
前記位置合わせ補助幅は、ゴルフボール直径以下であり、
前記ゴルフボール直径は、約４．２６センチメートルであり、
前記位置合わせ補助手段は、２つ以上の位置合わせ補助ストライプを備え、
前記２つ以上の位置合わせ補助ストライプは、４つの位置合わせ補助ストライプを含み、
前記４つの位置合わせ補助ストライプは、第１のトウ位置合わせ補助ストライプ、第１のヒール位置合わせ補助ストライプ、第２のトウ位置合わせ補助ストライプ、および第２のヒール位置合わせ補助ストライプを含み、
前記第１のトウ位置合わせ補助ストライプは、前記ヒール端部よりも前記トウ端部に近く、
前記第１のヒール位置合わせ補助ストライプは、前記トウ端部よりも前記ヒール端部に近く、
前記第２のトウ位置合わせ補助ストライプは、前記第１のトウ位置合わせ補助ストライプよりも前記トウ端部に近く、
前記第２のヒール位置合わせ補助ストライプは、前記第１のヒール位置合わせ補助ストライプよりも前記ヒール端部に近く、
前記第１のトウ位置合わせ補助ストライプは、第１のトウ位置合わせ補助ストライプ長を備え、
前記第１のヒール位置合わせ補助ストライプは、第１のヒール位置合わせ補助ストライプ長を備え、
前記第２のトウ位置合わせ補助ストライプは、第２のトウ位置合わせ補助ストライプ長を備え、
前記第２のヒール位置合わせ補助ストライプは、第２のヒール位置合わせ補助ストライプ長を備え、
前記第１のトウ位置合わせ補助ストライプ長は、前記第１のヒール位置合わせ補助ストライプ長とほぼ等しく、
前記第２のトウ位置合わせ補助ストライプ長は、前記第２のヒール位置合わせ補助ストライプ長とほぼ等しく、
前記第１のトウ位置合わせ補助ストライプ長および前記第１のヒール位置合わせ補助ストライプ長は、約８．０センチメートル以上かつ約１２センチメートル以下であり、
前記第２のトウ位置合わせ補助ストライプ長および前記第２のヒール位置合わせ補助ストライプ長は、約８．０センチメートル以上かつ約１２センチメートル以下である、クラブヘッド。
【請求項２】
前記ウッドタイプクラブヘッドは、ドライバクラブヘッドまたはフェアウェイウッドクラブヘッドの一方を含む、請求項１に記載のクラブヘッド。
【請求項３】
前記位置合わせ補助手段は、前記フロントフェースにも位置する、請求項１または２に記載のクラブヘッド。
【請求項４】
前記ウッドタイプクラブヘッドは、ドライバクラブヘッドを含み、
前記２つ以上の位置合わせ補助ストライプは、レーシングストライプを含む、請求項１に記載のクラブヘッド。
【請求項５】
前記第１のトウ位置合わせ補助ストライプは、第１のトウ位置合わせ補助ストライプ幅を備え、
前記第１のヒール位置合わせ補助ストライプは、第１のヒール位置合わせ補助ストライプ幅を備え、
前記第１のトウ位置合わせ補助ストライプ幅は、前記第１のヒール位置合わせ補助ストライプ幅とほぼ等しく、
前記第１のトウ位置合わせ補助ストライプは、前記第１のヒール位置合わせ補助ストライプとほぼ平行である、請求項１から４のいずれか一項に記載のクラブヘッド。
【請求項６】
前記第２のトウ位置合わせ補助ストライプは、第２のトウ位置合わせ補助ストライプ幅を備え、
前記第２のヒール位置合わせ補助ストライプは、第２のヒール位置合わせ補助ストライプ幅を備え、
前記第２のトウ位置合わせ補助ストライプ幅は、前記第２のヒール位置合わせ補助ストライプ幅とほぼ等しく、
前記第２のトウ位置合わせ補助ストライプは、前記第２のヒール位置合わせ補助ストライプとほぼ平行である、請求項５に記載のクラブヘッド。
【請求項７】
前記第２のトウ位置合わせ補助ストライプ幅は、前記第１のトウ位置合わせ補助ストライプ幅より狭く、
前記第２のヒール位置合わせ補助ストライプ幅は、前記第１のヒール位置合わせ補助ストライプ幅より狭い、請求項６に記載のクラブヘッド。
【請求項８】
前記第１のトウ位置合わせ補助ストライプは、前記第２のトウ位置合わせ補助ストライプからトウオフセット領域によってオフセットされ、
前記第１のヒール位置合わせ補助ストライプは、前記第２のヒール位置合わせ補助ストライプからヒールオフセット領域によってオフセットされる、請求項１から７のいずれか一項に記載のクラブヘッド。
【請求項９】
前記トウオフセット領域は、トウオフセット領域幅を備え、
前記ヒールオフセット領域は、ヒールオフセット領域幅を備え、
前記トウオフセット領域幅は、前記ヒールオフセット領域幅とほぼ等しい、請求項８に記載のクラブヘッド。
【請求項１０】
前記第１のトウ位置合わせ補助ストライプは、前記第１のヒール位置合わせ補助ストライプから中心オフセット領域によってオフセットされる、請求項９に記載のクラブヘッド。
【請求項１１】
前記中心オフセット領域は、中心オフセット領域幅を備え、
前記トウオフセット領域幅および前記ヒールオフセット領域幅は、前記中心オフセット領域幅より狭い、請求項１０に記載のクラブヘッド。
【請求項１２】
前記第１のトウ位置合わせ補助ストライプは、第１のトウ位置合わせ補助ストライプ幅を備え、
前記第１のヒール位置合わせ補助ストライプは、第１のヒール位置合わせ補助ストライプ幅を備え、
前記第２のトウ位置合わせ補助ストライプは、第２のトウ位置合わせ補助ストライプ幅を備え、
前記第２のヒール位置合わせ補助ストライプは、第２のヒール位置合わせ補助ストライプ幅を備え、
前記第１のトウ位置合わせ補助ストライプ幅は、前記第１のヒール位置合わせ補助ストライプ幅とほぼ等しく、
前記第２のトウ位置合わせ補助ストライプ幅は、前記第２のヒール位置合わせ補助ストライプ幅とほぼ等しく、
前記第１のトウ位置合わせ補助ストライプ幅および前記第１のヒール位置合わせ補助ストライプ幅は、約０．５０センチメートル以上かつ約１．６センチメートル以下であり、
前記第２のトウ位置合わせ補助ストライプ幅および前記第２のヒール位置合わせ補助ストライプ幅は、約０．０５０センチメートル以上かつ約１．５センチメートル以下である、請求項１に記載のクラブヘッド。
【請求項１３】
前記位置合わせ補助手段は、前記フロントフェースと直角である、請求項１から１２のいずれか一項に記載のクラブヘッド。
【請求項１４】
前記位置合わせ補助手段は、前記フロントフェースと鋭角を形成し、
前記鋭角は、前記トウ端部または前記ヒール端部の一方に向かって開き、
前記鋭角は、約４５度以上かつ約９０度未満である、請求項１から１２のいずれか一項に記載のクラブヘッド。
【請求項１５】
フロントフェースを備える前端部と、
トウ端部、および前記トウ端部の反対側のヒール端部と、
前記フロントフェースの反対側の後端部と、
前方クラウン端部および後方クラウン端部を備えるクラウン面と、
前記クラウン面を横切って前記前方クラウン端部から前記後方クラウン端部に延びる位置合わせ補助手段と、
を備えるクラブヘッドであって、
前記クラブヘッドは、ドライバクラブヘッドを含み、
前記位置合わせ補助手段は、４つの位置合わせ補助ストライプを備え、
前記位置合わせ補助手段は、位置合わせ補助幅を備え、
前記位置合わせ補助幅は、ゴルフボール直径とほぼ等しく、
前記ゴルフボール直径は、約４．２６センチメートルを備え、
前記４つの位置合わせ補助ストライプは、第１のトウ位置合わせ補助ストライプ、第１のヒール位置合わせ補助ストライプ、第２のトウ位置合わせ補助ストライプ、および第２のヒール位置合わせ補助ストライプを含み、
前記第１のトウ位置合わせ補助ストライプは、前記ヒール端部よりも前記トウ端部に近く、
前記第１のヒール位置合わせ補助ストライプは、前記トウ端部よりも前記ヒール端部に近く、
前記第２のトウ位置合わせ補助ストライプは、前記第１のトウ位置合わせ補助ストライプよりも前記トウ端部に近く、
前記第２のヒール位置合わせ補助ストライプは、前記第１のヒール位置合わせ補助ストライプよりも前記ヒール端部に近く、
前記第１のトウ位置合わせ補助ストライプは、第１のトウ位置合わせ補助ストライプ幅を備え、
前記第１のヒール位置合わせ補助ストライプは、第１のヒール位置合わせ補助ストライプ幅を備え、
前記第１のトウ位置合わせ補助ストライプ幅は、前記第１のヒール位置合わせ補助ストライプ幅とほぼ等しく、
前記第２のトウ位置合わせ補助ストライプは、第２のトウ位置合わせ補助ストライプ幅を備え、
前記第２のヒール位置合わせ補助ストライプは、第２のヒール位置合わせ補助ストライプ幅を備え、
前記第２のトウ位置合わせ補助ストライプ幅は、前記第２のヒール位置合わせ補助ストライプ幅とほぼ等しく、
前記第１のトウ位置合わせ補助ストライプ、前記第１のヒール位置合わせ補助ストライプ、前記第２のトウ位置合わせ補助ストライプ、および前記第２のヒール位置合わせ補助ストライプは、互いにほぼ平行であり、
前記第２のトウ位置合わせ補助ストライプ幅は、前記第１のトウ位置合わせ補助ストライプ幅より狭く、
前記第２のヒール位置合わせ補助ストライプ幅は、前記第１のヒール位置合わせ補助ストライプ幅より狭い、クラブヘッド。
【請求項１６】
ウッドタイプクラブヘッドを準備する工程であって、前記ウッドタイプクラブヘッドは、
フロントフェースを備える前端部と、
トウ端部、および前記トウ端部の反対側のヒール端部と、
前記フロントフェースの反対側の後端部と、
前方クラウン端部および後方クラウン端部を備えるクラウン面であって、前記前方クラウン端部が前記後端部よりも前記前端部に近く、前記後方クラウン端部が前記前端部よりも前記後端部に近い、前記クラウン面と
を備える、工程と、
前記クラウン面において前記前方クラウン端部と前記後方クラウン端部の間に延在する位置合わせ補助手段を準備する工程であって、前記位置合わせ補助手段は、約４．２６センチメートルのゴルフボール直径以下である位置合わせ補助幅を備え、２つ以上の位置合わせ補助ストライプを備える、工程と
を含み、
前記２つ以上の位置合わせ補助ストライプは、４つの位置合わせ補助ストライプを含み、
前記４つの位置合わせ補助ストライプは、第１のトウ位置合わせ補助ストライプ、第１のヒール位置合わせ補助ストライプ、第２のトウ位置合わせ補助ストライプ、および第２のヒール位置合わせ補助ストライプを含み、
前記第１のトウ位置合わせ補助ストライプは、前記ヒール端部よりも前記トウ端部に近く、
前記第１のヒール位置合わせ補助ストライプは、前記トウ端部よりも前記ヒール端部に近く、
前記第２のトウ位置合わせ補助ストライプは、前記第１のトウ位置合わせ補助ストライプよりも前記トウ端部に近く、
前記第２のヒール位置合わせ補助ストライプは、前記第１のヒール位置合わせ補助ストライプよりも前記ヒール端部に近く、
前記第１のトウ位置合わせ補助ストライプは、第１のトウ位置合わせ補助ストライプ長を備え、
前記第１のヒール位置合わせ補助ストライプは、第１のヒール位置合わせ補助ストライプ長を備え、
前記第２のトウ位置合わせ補助ストライプは、第２のトウ位置合わせ補助ストライプ長を備え、
前記第２のヒール位置合わせ補助ストライプは、第２のヒール位置合わせ補助ストライプ長を備え、
前記第１のトウ位置合わせ補助ストライプ長は、前記第１のヒール位置合わせ補助ストライプ長とほぼ等しく、
前記第２のトウ位置合わせ補助ストライプ長は、前記第２のヒール位置合わせ補助ストライプ長とほぼ等しく、
前記第１のトウ位置合わせ補助ストライプ長および前記第１のヒール位置合わせ補助ストライプ長は、約８．０センチメートル以上かつ約１２センチメートル以下であり、
前記第２のトウ位置合わせ補助ストライプ長および前記第２のヒール位置合わせ補助ストライプ長は、約８．０センチメートル以上かつ約１２センチメートル以下である、方法。
【請求項１７】
前記ウッドタイプクラブヘッドを準備する工程は、ドライバクラブヘッドまたはフェアウェイウッドクラブヘッドの一方を準備する工程を含む、請求項１６に記載の方法。
【請求項１８】
前記ウッドタイプクラブヘッドを準備する工程は、ドライバクラブヘッドを準備する工程を含み、
前記２つ以上の位置合わせ補助ストライプは、レーシングストライプを含む、請求項１７に記載の方法。
【請求項１９】
前記第１のトウ位置合わせ補助ストライプは、第１のトウ位置合わせ補助ストライプ幅を備え、
前記第１のヒール位置合わせ補助ストライプは、第１のヒール位置合わせ補助ストライプ幅を備え、
前記第１のトウ位置合わせ補助ストライプ幅は、前記第１のヒール位置合わせ補助ストライプ幅とほぼ等しく、
前記第１のトウ位置合わせ補助ストライプは、前記第１のヒール位置合わせ補助ストライプとほぼ平行である、請求項１７又は１８に記載の方法。
【請求項２０】
前記第２のトウ位置合わせ補助ストライプは、第２のトウ位置合わせ補助ストライプ幅を備え、
前記第２のヒール位置合わせ補助ストライプは、第２のヒール位置合わせ補助ストライプ幅を備え、
前記第２のトウ位置合わせ補助ストライプ幅は、前記第２のヒール位置合わせ補助ストライプ幅とほぼ等しく、
前記第２のトウ位置合わせ補助ストライプは、前記第２のヒール位置合わせ補助ストライプとほぼ平行である、請求項１９に記載の方法。
【請求項２１】
前記第２のトウ位置合わせ補助ストライプ幅は、前記第１のトウ位置合わせ補助ストライプ幅より狭く、
前記第２のヒール位置合わせ補助ストライプ幅は、前記第１のヒール位置合わせ補助ストライプ幅より狭い、請求項２０に記載の方法。
【手続補正２】
【補正対象書類名】明細書
【補正対象項目名】００９７
【補正方法】変更
【補正の内容】
【００９７】
さらに、本明細書に開示した実施形態および限定は、実施形態および／または限定が、（１）特許請求の範囲に明示されていない、かつ（２）均等論のもとで請求項における明示的な要素および／または限定の均等物であるまたは潜在的な均等物である場合、供与の原則（ｄｏｃｔｒｉｎｅ  ｏｆ  ｄｅｄｉｃａｔｉｏｎ）に基づき公衆に供与されることはない。
以下に、本実施例の特徴を列挙する。
（特徴１）
フロントフェースを備える前端部と、
トウ端部と、
前記トウ端部の反対側のヒール端部と、
前記フロントフェースの反対側の後端部と、
前方クラウン端部および後方クラウン端部を備えるクラウン面と、
前記クラウン面であって、前記前方クラウン端部と前記後方クラウン端部の間に位置する位置合わせ補助手段と、
を備えるウッドタイプクラブヘッドであって、
前記前方クラウン端部は、前記後端部よりも前記前端部に近く、
前記後方クラウン端部は、前記前端部よりも前記後端部に近く、
前記位置合わせ補助手段は、位置合わせ補助幅を備え、
前記位置合わせ補助幅は、ゴルフボールのゴルフボール直径以下であり、
前記位置合わせ補助手段は、２つ以上の位置合わせ補助ストライプを備え、
前記２つ以上の位置合わせ補助ストライプは、互いにほぼ平行であり、
前記クラウン面は、クラウン面周縁と、前記クラウン面周縁内に位置するクラウン内面と、をさらに備え、
前記位置合わせ補助手段は、前記クラウン面周縁には不在であり、
前記２つ以上の位置合わせ補助ストライプは、ギャップによって互いにオフセットされ、
前記ギャップは、前記２つ以上の位置合わせ補助ストライプのいずれの幅よりも大きいギャップ幅を備える、ウッドタイプクラブヘッド。
（特徴２）
前記クラウン面は、前記位置合わせ補助手段を備える、特徴１に記載のウッドタイプクラブヘッド。
（特徴３）
前記２つ以上の位置合わせ補助ストライプは、ギャップによって互いにオフセットされ、
前記２つ以上の位置合わせ補助ストライプは、第１の色を備え、
前記クラウン面は、前記第１の色と異なる第２の色を備え、
前記位置合わせ補助手段は、前記位置合わせ補助手段の端部に位置するギャップおよびテキストを備える、特徴１または２に記載のウッドタイプクラブヘッド。
（特徴４）
前記２つ以上の位置合わせ補助ストライプは、（ａ）異なる幅または（ｂ）ほぼ等しい幅の少なくとも一方を備え、
前記位置合わせ補助手段は、前記トウ端部および前記ヒール端部からほぼ等距離にある、特徴１から３のいずれか一項に記載のウッドタイプクラブヘッド。
（特徴５）
前記ゴルフボールの前記ゴルフボール直径は、約４．２６センチメートルであり、
前記位置合わせ補助手段は、前記ウッドタイプクラブヘッドと一体化される、特徴１から４のいずれか一項に記載のウッドタイプクラブヘッド。
（特徴６）
前記位置合わせ補助手段は、前記フロントフェースと鋭角を形成し、
前記鋭角は、前記トウ端部または前記ヒール端部の一方に向かって開き、
前記鋭角は、約４５度以上かつ約９０度未満である、特徴１から５のいずれか一項に記載のウッドタイプクラブヘッド。
（特徴７）
フロントフェースを備える前端部と、
トウ端部と、
前記トウ端部の反対側のヒール端部と、
前記前端部の反対側の後端部と、
前方クラウン端部および後方クラウン端部を備えるクラウン面と、
前記クラウン面における位置合わせ補助手段と
を備えるドライバクラブヘッドであって、
前記前方クラウン端部は、前記後端部よりも前記前端部に近く、
前記後方クラウン端部は、前記前端部よりも前記後端部に近く、
前記位置合わせ補助手段は、２つ以上の位置合わせ補助ストライプを備え、
前記２つ以上の位置合わせ補助ストライプは、前記第１の位置合わせ補助ストライプおよび第２の位置合わせ補助ストライプを含み、
前記第１の位置合わせ補助ストライプは、前記ヒール端部よりも前記トウ端部に近く、
前記第２の位置合わせ補助ストライプは、前記トウ端部よりも前記ヒール端部に近く、
前記第１の位置合わせ補助ストライプは、前記第２の位置合わせ補助ストライプとほぼ平行であり、
前記第１の位置合わせ補助ストライプは、前記第２の位置合わせ補助ストライプからギャップによってオフセットされ、
前記２つ以上の位置合わせ補助ストライプは、第１の色を備え、
前記クラウン面は、前記第１の色と異なる第２の色を備え、
前記ギャップは、前記第２の色を備え、
前記位置合わせ補助手段は、位置合わせ補助幅を備え、
前記位置合わせ補助幅は、ゴルフボールの直径以下であり、
前記クラウン面は、クラウン面周縁と、前記クラウン面周縁内に位置するクラウン内面と、を備え、
前記位置合わせ補助手段は、前記クラウン面周縁には不在であり、
前記２つ以上の位置合わせ補助ストライプは、ギャップによって互いにオフセットされ、
前記ギャップは、前記２つ以上の位置合わせ補助ストライプのいずれの幅よりも大きいギャップ幅を備える、ドライバクラブヘッド。
（特徴８）
前記２つ以上の位置合わせ補助ストライプは、（ａ）異なる幅または（ｂ）ほぼ等しい幅の少なくとも一方を備え、
前記位置合わせ補助手段は、前記トウ端部および前記ヒール端部からほぼ等距離にある、特徴７に記載のドライバクラブヘッド。
（特徴９）
前記クラウン面は、前記位置合わせ補助手段を備え、
グラフィックが、前記２つ以上の位置合わせ補助ストライプの間の前記ギャップに位置する、特徴７または８に記載のドライバクラブヘッド。
（特徴１０）
前記グラフィックは、前記２つ以上の位置合わせ補助ストライプと平行に配置される、特徴９に記載のドライバクラブヘッド。
（特徴１１）
前記位置合わせ補助手段は、前記トウ端部および前記ヒール端部からほぼ等距離に位置し、
グラフィックが、前記２つ以上の位置合わせ補助ストライプの間の前記ギャップに位置し、
前記グラフィックは、前記２つ以上の位置合わせ補助ストライプと平行に配置され、
前記２つ以上の位置合わせ補助ストライプは、互いにほぼ平行であり、
前記ゴルフボールの直径は、約４．２６センチメートルである、特徴７または８に記載のドライバクラブヘッド。
（特徴１２）
フロントフェースを備える前端部と、
トウ端部、および前記トウ端部の反対側のヒール端部と、
前記フロントフェースの反対側の後端部と、
前方クラウン端部および後方クラウン端部を備えるクラウン面と、
前記クラウン面における、前記前方クラウン端部と前記後方クラウン端部の間に延在する位置合わせ補助手段と
を備えるクラブヘッドであって、
前記クラブヘッドは、ウッドタイプクラブヘッドを含み、
前記前方クラウン端部は、前記後端部よりも前記前端部に近く、
前記後方クラウン端部は、前記前端部よりも前記後端部に近く、
前記位置合わせ補助手段は、位置合わせ補助幅を備え、
前記位置合わせ補助幅は、ゴルフボール直径以下であり、
前記ゴルフボール直径は、約４．２６センチメートルであり、
前記位置合わせ補助手段は、２つ以上の位置合わせ補助ストライプを備える、クラブヘッド。
（特徴１３）
前記クラウン面は、クラウン面周縁と、前記クラウン面周縁内に位置する前記クラウン面周縁以外のクラウン内面とをさらに備え
前記位置合わせ補助手段は、前記クラウン面周縁には不在である、特徴１２に記載のクラブヘッド。
（特徴１４）
前記位置合わせ補助手段は、前記フロントフェースにも位置する、特徴１２または１３に記載のクラブヘッド。
（特徴１５）
前記位置合わせ補助手段は、前記フロントフェースと直角である、特徴１２から１４のいずれか一項に記載のクラブヘッド。
（特徴１６）
前記位置合わせ補助手段は、前記フロントフェースと鋭角を形成し、
前記鋭角は、前記トウ端部または前記ヒール端部の一方に向かって開き、
前記鋭角は、約４５度以上かつ約９０度未満である、特徴１２から１５のいずれか一項に記載のクラブヘッド。
（特徴１７）
前記２つ以上の位置合わせ補助ストライプは、４つの位置合わせ補助ストライプを含み、
前記４つの位置合わせ補助ストライプは、第１のトウ位置合わせ補助ストライプ、第１のヒール位置合わせ補助ストライプ、第２のトウ位置合わせ補助ストライプ、および第２のヒール位置合わせ補助ストライプを含み、
前記第１のトウ位置合わせ補助ストライプは、前記ヒール端部よりも前記トウ端部に近く、
前記第１のヒール位置合わせ補助ストライプは、前記トウ端部よりも前記ヒール端部に近く、
前記第２のトウ位置合わせ補助ストライプは、前記第１のトウ位置合わせ補助ストライプよりも前記トウ端部に近く、
前記第２のヒール位置合わせ補助ストライプは、前記第１のヒール位置合わせ補助ストライプよりも前記ヒール端部に近い、特徴１２から１６のいずれか一項に記載のクラブヘッド。
（特徴１８）
前記第１のトウ位置合わせ補助ストライプは、第１のトウ位置合わせ補助ストライプ幅を備え、
前記第１のヒール位置合わせ補助ストライプは、第１のヒール位置合わせ補助ストライプ幅を備え、
前記第１のトウ位置合わせ補助ストライプ幅は、前記第１のヒール位置合わせ補助ストライプ幅とほぼ等しく、
前記第１のトウ位置合わせ補助ストライプは、前記第１のヒール位置合わせ補助ストライプとほぼ平行である、特徴１７に記載のクラブヘッド。
（特徴１９）
前記第２のトウ位置合わせ補助ストライプは、第２のトウ位置合わせ補助ストライプ幅を備え、
前記第２のヒール位置合わせ補助ストライプは、第２のヒール位置合わせ補助ストライプ幅を備え、
前記第２のトウ位置合わせ補助ストライプ幅は、前記第２のヒール位置合わせ補助ストライプ幅とほぼ等しく、
前記第２のトウ位置合わせ補助ストライプは、前記第２のヒール位置合わせ補助ストライプとほぼ平行である、特徴１８に記載のクラブヘッド。
（特徴２０）
前記第２のトウ位置合わせ補助ストライプ幅は、前記第１のトウ位置合わせ補助ストライプ幅より狭く、
前記第２のヒール位置合わせ補助ストライプ幅は、前記第１のヒール位置合わせ補助ストライプ幅より狭い、特徴１９に記載のクラブヘッド。
（特徴２１）
前記第１のトウ位置合わせ補助ストライプは、前記第２のトウ位置合わせ補助ストライプからトウオフセット領域によってオフセットされ、
前記第１のヒール位置合わせ補助ストライプは、前記第２のヒール位置合わせ補助ストライプからヒールオフセット領域によってオフセットされる、特徴１７から２０のいずれか一項に記載のクラブヘッド。
（特徴２２）
前記トウオフセット領域は、トウオフセット領域幅を備え、
前記ヒールオフセット領域は、ヒールオフセット領域幅を備え、
前記トウオフセット領域幅は、前記ヒールオフセット領域幅とほぼ等しい、特徴２１に記載のクラブヘッド。
（特徴２３）
前記第１のトウ位置合わせ補助ストライプは、前記第１のヒール位置合わせ補助ストライプから中心オフセット領域によってオフセットされる、特徴２２に記載のクラブヘッド。
（特徴２４）
前記中心オフセット領域は、中心オフセット領域幅を備え、
前記トウオフセット領域幅および前記ヒールオフセット領域幅は、前記中心オフセット領域幅より狭い、特徴２３に記載のクラブヘッド。
（特徴２５）
前記第１のトウ位置合わせ補助ストライプは、第１のトウ位置合わせ補助ストライプ幅を備え、
前記第１のヒール位置合わせ補助ストライプは、第１のヒール位置合わせ補助ストライプ幅を備え、
前記第２のトウ位置合わせ補助ストライプは、第２のトウ位置合わせ補助ストライプ幅を備え、
前記第２のヒール位置合わせ補助ストライプは、第２のヒール位置合わせ補助ストライプ幅を備え、
前記第１のトウ位置合わせ補助ストライプ幅は、前記第１のヒール位置合わせ補助ストライプ幅とほぼ等しく、
前記第２のトウ位置合わせ補助ストライプ幅は、前記第２のヒール位置合わせ補助ストライプ幅とほぼ等しく、
前記第１のトウ位置合わせ補助ストライプ幅および前記第１のヒール位置合わせ補助ストライプ幅は、約０．５０センチメートル以上かつ約１．６センチメートル以下であり、
前記第２のトウ位置合わせ補助ストライプ幅および前記第２のヒール位置合わせ補助ストライプ幅は、約０．０５０センチメートル以上かつ約１．５センチメートル以下である、特徴１７に記載のクラブヘッド。
（特徴２６）
前記第１のトウ位置合わせ補助ストライプは、第１のトウ位置合わせ補助ストライプ長を備え、
前記第１のヒール位置合わせ補助ストライプは、第１のヒール位置合わせ補助ストライプ長を備え、
前記第２のトウ位置合わせ補助ストライプは、第２のトウ位置合わせ補助ストライプ長を備え、
前記第２のヒール位置合わせ補助ストライプは、第２のヒール位置合わせ補助ストライプ長を備え、
前記第１のトウ位置合わせ補助ストライプ長は、前記第１のヒール位置合わせ補助ストライプ長とほぼ等しく、
前記第２のトウ位置合わせ補助ストライプ長は、前記第２のヒール位置合わせ補助ストライプ長とほぼ等しく、
前記第１のトウ位置合わせ補助ストライプ長および前記第１のヒール位置合わせ補助ストライプ長は、約８．０センチメートル以上かつ約１２センチメートル以下であり、
前記第２のトウ位置合わせ補助ストライプ長および前記第２のヒール位置合わせ補助ストライプ長は、約８．０センチメートル以上かつ約１．５センチメートル以下である、特徴１７から２５のいずれか一項に記載のクラブヘッド。
（特徴２７）
フロントフェースを備える前端部と、
トウ端部、および前記トウ端部の反対側のヒール端部と、
前記フロントフェースの反対側の後端部と、
前方クラウン端部および後方クラウン端部を備えるクラウン面と、
前記クラウン面を横切って前記前方クラウン端部から前記後方クラウン端部に延びる位置合わせ補助手段と
を備えるクラブヘッドであって、
前記クラブヘッドは、ドライバクラブヘッドを含み、
前記位置合わせ補助手段は、４つの位置合わせ補助ストライプを備え、
前記位置合わせ補助手段は、位置合わせ補助幅を備え、
前記位置合わせ補助幅は、ゴルフボール直径とほぼ等しく、
前記ゴルフボール直径は、約４．２６センチメートルを備え、
前記４つの位置合わせ補助ストライプは、第１のトウ位置合わせ補助ストライプ、第１のヒール位置合わせ補助ストライプ、第２のトウ位置合わせ補助ストライプ、および第２のヒール位置合わせ補助ストライプを含み、
前記第１のトウ位置合わせ補助ストライプは、前記ヒール端部よりも前記トウ端部に近く、
前記第１のヒール位置合わせ補助ストライプは、前記トウ端部よりも前記ヒール端部に近く、
前記第２のトウ位置合わせ補助ストライプは、前記第１のトウ位置合わせ補助ストライプよりも前記トウ端部に近く、
前記第２のヒール位置合わせ補助ストライプは、前記第１のヒール位置合わせ補助ストライプよりも前記ヒール端部に近く、
前記第１のトウ位置合わせ補助ストライプは、第１のトウ位置合わせ補助ストライプ幅を備え、
前記第１のヒール位置合わせ補助ストライプは、第１のヒール位置合わせ補助ストライプ幅を備え、
前記第１のトウ位置合わせ補助ストライプ幅は、前記第１のヒール位置合わせ補助ストライプ幅とほぼ等しく、
前記第２のトウ位置合わせ補助ストライプは、第２のトウ位置合わせ補助ストライプ幅を備え、
前記第２のヒール位置合わせ補助ストライプは、第２のヒール位置合わせ補助ストライプ幅を備え、
前記第２のトウ位置合わせ補助ストライプ幅は、前記第２のヒール位置合わせ補助ストライプ幅とほぼ等しく、
前記第１のトウ位置合わせ補助ストライプ、前記第１のヒール位置合わせ補助ストライプ、前記第１のヒール位置合わせ補助ストライプ、前記第２のトウ位置合わせ補助ストライプ、および前記第２のヒール位置合わせ補助ストライプは、互いにほぼ平行であり、
前記第２のトウ位置合わせ補助ストライプ幅は、前記第１のトウ位置合わせ補助ストライプ幅より狭く、
前記第２のヒール位置合わせ補助ストライプ幅は、前記第１のヒール位置合わせ補助ストライプ幅より狭く、
前記第１のトウ位置合わせ補助ストライプは、前記第２のトウ位置合わせ補助ストライプからトウオフセット領域によってオフセットされ、
前記第１のヒール位置合わせ補助ストライプは、前記第２のヒール位置合わせ補助ストライプからヒールオフセット領域によってオフセットされ、
前記トウオフセット領域は、トウオフセット領域幅を備え、
前記ヒールオフセット領域は、ヒールオフセット領域幅を備え、
前記トウオフセット領域幅は、前記ヒールオフセット領域幅とほぼ等しく、
前記第１のトウ位置合わせ補助ストライプは、前記第１のヒール位置合わせ補助ストライプから中心オフセット領域によってオフセットされ、
前記中心オフセット領域は、中心オフセット領域幅を備え、
前記トウオフセット領域幅および前記ヒールオフセット領域幅は、前記中心オフセット領域幅より狭く、
前記位置合わせ補助手段は、前記フロントフェースと直角である、クラブヘッド。
（特徴２８）
ウッドタイプクラブヘッドを準備する工程であって、前記ウッドタイプクラブヘッドは、
フロントフェースを備える前端部と、
トウ端部、および前記トウ端部の反対側のヒール端部と、
前記フロントフェースの反対側の後端部と、
前方クラウン端部および後方クラウン端部を備えるクラウン面であって、前記前方クラウン端部が前記後端部よりも前記前端部に近く、前記後方クラウン端部が前記前端部よりも前記後端部に近い、クラウン面と
を備える、工程と、
前記クラウン面において前記前方クラウン端部と前記後方クラウン端部の間に延在する位置合わせ補助手段を準備する工程であって、前記位置合わせ補助手段は、約４．２６センチメートルのゴルフボール直径以下である位置合わせ補助幅を備え、２つ以上の位置合わせ補助ストライプを備える、工程と
を含む方法。
（特徴２９）
前記ウッドタイプクラブヘッドを準備する工程は、ドライバクラブヘッドまたはフェアウェイウッドクラブヘッドの一方を準備する工程を含む、特徴２８に記載の方法。
（特徴３０）
前記ウッドタイプクラブヘッドを準備する工程は、ドライバクラブヘッドを準備する工程を含み、
前記２つ以上の位置合わせ補助ストライプは、レーシングストライプを含む、特徴２８に記載の方法。
（特徴３１）
前記位置合わせ補助手段を準備する工程は、前記位置合わせ補助手段が、前記クラウン面のクラウン面周縁内に位置する前記クラウン面周縁以外のクラウン面内面にあるように、かつ、前記位置合わせ補助手段が、前記クラウン面周縁には不在であるように、前記位置合わせ補助手段を準備する工程を含む、特徴２８から３０のいずれか一項に記載の方法。
（特徴３２）
前記２つ以上の位置合わせ補助ストライプは、４つの位置合わせ補助ストライプを準備することを含み、
前記４つの位置合わせ補助ストライプは、第１のトウ位置合わせ補助ストライプが、前記ヒール端部よりも前記トウ端部に近く、第１のヒール位置合わせ補助ストライプが、前記トウ端部よりも前記ヒール端部に近く、第２のトウ位置合わせ補助ストライプが、前記第１のトウ位置合わせ補助ストライプよりも前記トウ端部に近く、第２のヒール位置合わせ補助ストライプが、前記第１のヒール位置合わせ補助ストライプよりも前記ヒール端部に近く、前記４つの位置合わせ補助ストライプが、互いに実質的に平行であるように、前記第１のトウ位置合わせ補助ストライプ、前記第１のヒール位置合わせ補助ストライプ、前記第２のトウ位置合わせ補助ストライプ、および前記第２のヒール位置合わせ補助ストライプを準備することを含む、特徴２８から３１のいずれか一項に記載の方法。